(57)【特許請求の範囲】
【請求項１】
第１のディスプレイと、第１のディスプレイよりも小型の第２のディスプレイとを備えるとともに、
ユーザに対する通知情報の有無を判断する判断手段と、
前記第２のディスプレイに、第１の状態情報、第２の状態情報、及び第３の状態情報をそれぞれ個別に表示する表示制御手段と、
前記第２のディスプレイの表示内容を切り替えるための入力を受け付ける入力受付手段と、
前記第１の状態情報、前記第２の状態情報、及び前記第３の状態情報のそれぞれの状態情報に対して前記通知情報の有無によって前記第２のディスプレイに表示する優先度を設定する対応表と、を備え、
前記表示制御手段は、前記第２のディスプレイに、前記対応表に基づき、前記優先度の一番高い前記状態情報を表示するとともに、前記入力受付手段により入力が受け付けられたときには、前記優先度の順に従って前記状態情報の表示を切り替えることを特徴とする電子機器。
【請求項２】
前記通知情報は、ユーザの操作に依存しない情報であることを特徴とする請求項１に記載の電子機器。
【請求項３】
前記通知情報は、メールフル、メール送信失敗、未読メール有り、不在着信有り、または留守番録音有りのいずれかを示す情報であることを特徴とする請求項１又は２に記載の電子機器。
【発明の詳細な説明】
【技術分野】
【０００１】
本発明は、メインディスプレイ及びサブディスプレイを備え、ユーザに対する通知情報の有無に応じた優先度に基づいて、サブディスプレイに情報を表示する電子機器に関する。
【背景技術】
【０００２】
最近の携帯電話機は、他機能化が進む一方で、小型化、薄型化、軽量化も同時に進んでいる。これらの携帯電話機では、それまでに搭載してきた様々な機能をできるだけ損なうことなく、小型化、薄型化、軽量化を実現する為に、新たな小型デバイスを開発して採用するなどの工夫がなされている。
【０００３】
特に、最近の携帯電話機では、折り畳み可能なクラムシェル型を採用する場合、通常、持ち運び時の状態（折り畳まれた状態）でも現在時刻や電池残量などの情報が確認できるように、常に外部に露出され補助的に利用されるディスプレイ（サブディスプレイ）を搭載しているが、携帯電話機の小型化、薄型化、軽量化を実現するためには、このサブディスプレイの表示サイズを制限する必要がある。
【０００４】
そこで、端末の形状に応じてピクト表示を制御する携帯電話機が提案されている（特許文献１参照）。この携帯電話機は、第１表示部と第２表示部が並列に配置されるように、第１筐体と第２筐体とが自在に回転及び折畳み可能な携帯電話機において、第１表示部と第２表示部が並列配置される状態を検知して、自動的に第１表示部のピクト表示を第２表示部に移動させ、第１表示部の表示領域をフルサイズで活用することができるものである。
【特許文献１】特開２００５−１９８１７２号公報
【発明の開示】
【発明が解決しようとする課題】
【０００５】
従来、比較的小さなサブディスプレイを搭載した携帯電話機では、サブディスプレイに表示できる情報を現在時刻のみに限定するなど、利用方法や表示情報を限定していた。ユーザは、携帯電話機の購入時にサブディスプレイの大きな端末を選択する事も可能であるが、その場合には、大きさなどの観点でユーザの嗜好を満たさない可能性もあった。よってユーザは、サブディスプレイの大きさや軽さの条件を重視するか、サブディスプレイの機能を重視するかの選択に迫られていた。そして、小型のサブディスプレイが搭載された携帯電話機を選択したユーザは、サブディスプレイでは限定された情報しか確認できないという問題があった。
【０００６】
本発明は、上記課題を鑑みなされてものであり、サブディスプレイを備え、このサブディスプレイが比較的小型であっても、ユーザに必要とされている情報を推測して、最適な情報を表示することができる電子機器を提供することを目的とする。
【課題を解決するための手段】
【０００７】
上記課題を解決するために、本発明に係る電子機器は、第１のディスプレイと、第１のディスプレイよりも小型の第２のディスプレイとを備えるとともに、ユーザに対する通知情報の有無を判断する判断手段と、前記第２のディスプレイに、少なくともピクトアイコンや現在時刻をそれぞれ個別に表示する表示制御手段と、を備え、前記表示制御手段は、前記第２のディスプレイに情報を表示するとき、前記判断手段により通知情報があると判断された場合、ピクトアイコンを現在時刻より優先して表示し、前記判断手段により通知情報がないと判断された場合、現在時刻をピクトアイコンより優先して表示することを特徴とする。
【発明の効果】
【０００８】
本発明に係る電子機器によると、サブディスプレイを備え、このサブディスプレイに端末状態に応じた優先度の高い情報を表示するとともに、簡単な操作（例えばキー押下）で表示情報を切り替えられるように構成したことにより、サブディスプレイが比較的小型であっても、ユーザに必要とされている情報を推測して、最適な情報を表示することが可能となる。
【発明を実施するための最良の形態】
【０００９】
本発明に係る電子機器の実施形態について、添付図面を参照しながら説明する。本発明に係る電子機器として、複数の筐体が開閉自在に結合されてなるクラムシェル型の携帯電話機１を例に挙げて説明する。
【００１０】
図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等を含んだ表示情報を表示するためのディスプレイ１３、音声を出力するスピーカ１４が設けられている。これらのディスプレイ１３及びスピーカ１４は、携帯電話機１が閉じた状態のときには、下筐体１１により覆われていて外部に露出していないが、上筐体１０を下筐体１１に対して回転させて開いた状態に変形させたときには外部に露出される。
【００１２】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１３】
上筐体１０の外面（下筐体１１に対面しない側の面）には、メインのディスプレイ１３よりも小型に形成された、文字や画像等を含んだ表示情報を表示するためのサブディスプレイ１７が設けられている。このサブディスプレイ１７は、携帯電話機１の開閉状態によらず外部に露出しているので、ユーザは、常にサブディスプレイ１７の表示画面５０を視認することができる。
【００１４】
下筐体１１の側面には、例えば、サブディスプレイ１７の表示を開始するための開始キー１８や、サブディスプレイ１７の表示情報を切り替えるための切替キー１８ａ等のサイドキーが設けられている。これらのサイドキーは、携帯電話機１の開閉状態によらず常に外部に露出していて、ユーザは、これらのサイドキーを押下することにより、サブディスプレイ１７の表示を開始させたりサブディスプレイ１７の表示情報を切り替えたりすることができる。
【００１５】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、サブディスプレイ１７の表示制御処理や、その他の様々な演算処理や制御処理等を行う。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。また、電源回路部２１は、主制御部２０の制御部に基づいて、電池残量を示す情報を主制御部２０に伝送する。そして主制御部２０は、この電池残量を示す情報を記憶部２６に記憶する。
【００１７】
操作入力制御部２２は操作キー１５及びサイドキーに対する入力インタフェースを備えている。この操作入力制御部２２は、操作キー１５やサイドキーの押下を検出すると、その押下された操作キー１５やサイドキーを示す信号を生成して主制御部２０に伝送する。表示制御部２３はディスプレイ１３やサブディスプレイ１７に対する表示インタフェースを備え、主制御部２０の制御に基づいて、文書や画像等を含んだ表示情報をディスプレイ１３やサブディスプレイ１７に表示する。
【００１８】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１９】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００２０】
また、通信制御部２５は、主制御部２０の制御部に基づいて、アンテナ２５ａの受信感度を示す情報を主制御部２０に伝送する。そして主制御部２０は、この受信感度に基づいて、電界レベルを示す情報を記憶部２６に記憶する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するサブディスプレイ１７の表示制御処理を行う際の処理プログラムは、例えばＲＯＭに記憶されているものとする。
【００２２】
また記憶部２６は、携帯電話機１の電池残量を示す情報や電界レベルを示す情報、及び、未読メールがある旨、不在着信がある旨、留守録がある旨等を示す情報を随時記憶している。
【００２３】
ディスプレイ１３やサブディスプレイ１７には、通常、ピクトアイコンが表示されている。ピクトアイコンは、例えばアンテナの電界バーや電池レベル等の端末状態やサイレントモード等の設定状況を、簡単な画像等からなるアイコンで表したものである。図４に、ピクトアイコンの種類を示すピクトアイコン表３０を示す。
【００２４】
例えば図４に示すように、ピクトアイコンはＰＩＣＴ−１からＰＩＣＴ−５までの５つのグループに区分されている。ＰＩＣＴ−１のグループには、オフラインであることを示すピクトアイコン、圏外であることを示すピクトアイコン、電界バーを示すピクトアイコン等がある。なお、電界バーを示すピクトアイコンにおいて、バーの数（０本乃至３本）が電界の強さを表している。ＰＩＣＴ−２のグループには、充電中であることを示すピクトアイコン、電池レベルを示すピクトアイコン等がある。なお、電池レベルを示すピクトアイコンにおいて、バーの数（０本乃至３本）が電池残量のレベルを示している。
【００２５】
ＰＩＣＴ−３のグループには、メモリの空き領域がなくメールを受信できない状況（メールフル）であることを示すピクトアイコン、メールの送信に失敗したことを示すピクトアイコン、未読メールがあることを示すピクトアイコン、ホールド中であることを示すピクトアイコン、キーガード中であることを示すピクトアイコン、操作ロック中であることを示すピクトアイコン、Ｆｅｌｉｃａ（登録商標）ロック中であることを示すピクトアイコン、及びアプリケーションプログラムであるミュージックコンソール（ＭｕｓｉｃＣｏｎｓｏｌｅ）の起動が不可であることを示すピクトアイコン等がある。
【００２６】
ＰＩＣＴ−４のグループには、不在着信があることを示すピクトアイコン、サイレントモードであることを示すピクトアイコン等がある。なお、サイレントモードには、例えば通常のサイレントモードと、目覚ましモードと、運転中モードがある。ＰＩＣＴ−５のグループには、サービスセンターに録音メッセージ（留守番録音）があることを示すピクトアイコン、携帯電話機１が実行するアプリケーションプログラムの留守録設定がＯＮになっていることを示すピクトアイコン、携帯電話機１が実行するアプリケーションプログラムの簡易留守録設定がＯＮになっていることを示すピクトアイコン等である。
【００２７】
これらのピクトアイコンには、図４に示すように、「通知情報あり」として扱われるピクトアイコン３１と、「通知情報なし」として扱われるピクトアイコン３２と、通知情報に関係のないピクトアイコン３３とがある。例えば携帯電話機１において、メールを受信したり不在着信があったりして、ユーザの操作に依存しない情報がある場合に、その旨をユーザに通知情報として通知する必要がある。よって、未読メールがあることを示す情報や不在着信があることを示す情報等がある場合は、「通知情報あり」の状態となる。一方で、サイレントモードがＯＮになっていることを示す情報等がある場合は、これらの情報はユーザが自ら操作して設定した情報であり、ユーザに通知する必要性が低いため、「通知情報なし」の状態となる。
【００２８】
ユーザの操作に依存しないため「通知情報あり」として扱われる情報は、例えばメールフル、メールの送信失敗、未読メールあり、不在着信あり、サービスセンターに録音メッセージあり等である。また、ユーザの操作に依存するため「通知情報なし」として扱われる情報は、ホールド中、キーガード中、操作ロック中、Ｆｅｌｉｃａ（登録商標）ロック中、ＭｕｓｉｃＣｏｎｓｏｌｅ起動中等である。さらに、通知情報と関係のない情報は、オフライン、圏外、電界バー、充電中、電池レベル等である。
【００２９】
携帯電話機１は、例えばユーザが開始キー１８等のサイドキーを押下すると、サブディスプレイ１７の表示を開始する。この際、サブディスプレイ１７には複数の情報のうちのいずれかが表示される。図５の状態−表示対応表３５に示すように、状態ＩＤが「１」の時計表示、状態ＩＤが「２」のピクトアイコン等のピクト表示、状態ＩＤが「３」のミュージックコンソール等の起動されているアプリケーションプログラムに関する起動アプリ表示等が行われる。時刻表示では、ユーザの操作に依存しない情報が表示され、ピクト表示では、ユーザの操作に依存する情報及び依存しない情報の双方の情報が表示され、また、起動アプリ表示では、ユーザの操作に依存して起動されたアプリケーションプログラムに関する情報が表示される。
【００３０】
状態ＩＤが「２」のピクト表示において、ＰＩＣＴ−１からＰＩＣＴ−５までのそれぞれのグループに対応する表示エリアを備えていて、それぞれの表示エリアに最大で１つのピクトアイコンが選択的に表示される。例えば図５に示す例によると、ＰＩＣＴ−１の表示エリアに電界バー（３本）、ＰＩＣＴ−２の表示エリアに電池（レベル３）、ＰＩＣＴ−３の表示エリアに未読メール、ＰＩＣＴ−４の表示エリアにサイレントモード、ＰＩＣＴ−５の表示エリアに留守録設定ＯＮの情報がそれぞれ表示されている。なお、各々のＰＩＣＴのグループにおいて、複数表示すべき情報があった場合には、ピクトアイコン表３０において上位に示されたピクトアイコンが一つ選択されて表示される。また、各々のＰＩＣＴのグループにおいて、表示すべき情報がなかった場合には、その表示エリアは空欄として表示される。
【００３１】
携帯電話機１の記憶部２６は、図５に示す各々の表示状態に関して、サブディスプレイ１７への表示の優先度を示す優先度情報４０を記憶している。優先度情報４０は、図６に示すように、「通知情報あり」の場合の優先度を示す優先度情報４１、「通知情報なし」の場合の優先度を示す優先度情報４２を有している。このように携帯電話機１では、通知情報の有無に基づいて、サブディスプレイ１７に表示される表示情報の優先度が決定される。
【００３２】
例えば図６に示す優先度情報４０によると、携帯電話機１のサブディスプレイ１７には、「通知情報あり」の場合には、優先度が高い方から、状態ＩＤが「２」のピクト表示、状態ＩＤが「３」の起動アプリ表示、状態ＩＤが「１」の時刻表示の順で表示される。また、「通知情報なし」の場合には、優先度が高いほうから、状態ＩＤが「３」の起動アプリ表示、状態ＩＤが「１」の時刻表示、状態ＩＤが「２」のピクト表示の順で表示される。
【００３３】
すなわち、携帯電話機１においてサブディスプレイ１７の表示を行う際、ユーザの操作を伴わずに発生する通知情報、すなわち未読メールあり、不在着信あり、サービスセンターに録音メッセージあり等の通知情報があった場合、ユーザにその旨を通知する必要があるため、現在時刻等の情報よりも、この通知情報をユーザに通知することが優先される。例えば、携帯電話機１が新たにメールを受信してユーザがこの受信メールをまだ読んでいない場合には、このメール受信の通知が最も優先される。そして、このときに携帯電話機１において音楽再生機能が実行されていた場合、この音楽再生に関する表示情報がその次に優先される。
【００３４】
また、携帯電話機１に通知情報がなかった場合は、ピクト表示ではサイレントモードや操作ロックなど、ユーザが自ら設定した情報しか表示されないため、ピクト表示の優先順位が低い。よって、携帯電話機１において音楽再生機能等のアプリケーションプログラムが起動されていた場合、このアプリケーションプログラムに関する情報が最も優先される。また、時刻表示がその次に優先される。
【００３５】
また、サブディスプレイ１７に情報が表示されている間に、ユーザが所定のサイドキー（例えば切替キー１８ａ）を押下すること等により、表示情報の切り替えが指示された場合は、携帯電話機１は優先度情報４０が示す優先度に基づいてサブディスプレイ１７の表示情報を切り替える。
【００３６】
このように携帯電話機１において、携帯電話機１が搭載するサブディスプレイ１７が小さく、一度に多くの情報を表示できない場合でも、ユーザに通知すべき優先度の高い情報を優先して表示することで、ユーザは簡単なキー操作で最も有益な情報を確認することができる。また携帯電話機１において、ユーザのサイドキーの押下等による指示に基づいて表示内容を切り替えることで、ユーザは簡単なキー操作で様々な情報を確認することができる。
【００３７】
携帯電話機１は、サブディスプレイ１７の表示が指示された際、記憶部２６に記憶されている優先度情報４０に基づいて、サブディスプレイ１７の表示画面５０の表示制御処理を行う。携帯電話機１がこの表示制御処理を行う手順について、図７に示すフローチャートに基づいて説明する。以下、例えば「ステップＳ１０１」を「Ｓ１０１」のように、「ステップ」の語句を省略して説明する。なお、携帯電話機１は、音楽再生のアプリケーションプログラムが起動されているとともに、ホールド、操作ロック、サイレントモード、留守録設定、簡易留守録設定等の全ての設定はＯＦＦになっているものとする。
【００３８】
ユーザは、例えば開始キー１８を押下することにより、携帯電話機１に対してサブディスプレイ１７の表示を行うように指示を出す。主制御部２０は、サブディスプレイ１７の表示が指示されたか否かを判断する（Ｓ１０１）。この際、ユーザによりサイドキーが押下されたり携帯電話機１が開いた状態から閉じた状態に変形されたりしたことに基づいて、サブディスプレイ１７の表示が指示されたものと判断する。サブディスプレイ１７の表示が指示されていない場合（Ｓ１０１のＮｏ）は、主制御部２０はそのまま待機する。
【００３９】
サブディスプレイ１７の表示が指示された場合（Ｓ１０１のＹｅｓ）は、主制御部２０は、メールフル、メールの送信失敗、未読メール、不在着信、留守録あり等の通知情報があるか否かを判断する（Ｓ１０３）。
【００４０】
通知情報があった場合（Ｓ１０３のＹｅｓ）は、主制御部２０は、記憶部２６からユーザの操作に依存しない情報（通知情報）を取得する（Ｓ１０５）。すなわち、優先度情報４０の通知情報があった場合の優先度情報４１に基づいて、優先度が最も高い情報である状態ＩＤが「２」のピクト表示に関する情報を取得する。
【００４１】
主制御部２０は、通知情報がない表示エリアに、表示すべき情報があるか否かを判断する（Ｓ１０７）。例えば、携帯電話機１に未読メールと留守録ありの通知情報があった場合には、図８（Ａ）に示すように、ＰＩＣＴ−３の表示エリアに未読メールがあることを示すピクトアイコンが、ＰＩＣＴ−５の表示エリアにサービスセンターに留守番メッセージがあることを示すピクトアイコンが表示される。このとき、ＰＩＣＴ−１、ＰＩＣＴ−２、ＰＩＣＴ−４の表示エリアには通知情報がないことになる。よって、主制御部２０は、ＰＩＣＴ−１、ＰＩＣＴ−２、ＰＩＣＴ−４のそれぞれのグループに対して、表示すべき情報があるか否かを判断する。
【００４２】
通知情報がない表示エリアに、表示すべき情報があった場合（Ｓ１０７のＹｅｓ）は、主制御部２０は、それぞれの表示エリアに対して、記憶部２６からユーザの操作に依存する情報（通知情報以外の情報）を取得する（Ｓ１０９）。例えば、ＰＩＣＴ−１の表示エリアに表示するための電界バー、ＰＩＣＴ−２の表示エリアに表示するための電池レベルを取得する。また、ＰＩＣＴ−４に関しては、サイレントモードに設定されている場合にはサイレントモードがＯＮになっていることを示す情報を取得する。
【００４３】
主制御部２０は、ステップＳ１０９の処理を終えた後、あるいは通知情報がない表示エリアに表示すべき情報がなかった場合（Ｓ１０７のＮｏ）に、サブディスプレイ１７に状態ＩＤが「２」の情報を表示する（Ｓ１１１）。例えば図８（Ａ）に示すように、ステップＳ１０５またはＳ１０９にて取得した情報に基づいて、ＰＩＣＴ−１の表示エリアに電界バー（３本）を示すピクトアイコンが、ＰＩＣＴ−２の表示エリアに電池（レベル３）を示すピクトアイコンが、ＰＩＣＴ−３の表示エリアに未読メールがあることを示すピクトアイコンが、ＰＩＣＴ−５の表示エリアにサービスセンターに留守番メッセージがあることを示すピクトアイコンがそれぞれ表示される。なお、ＰＩＣＴ−４のグループにおいて、通知情報及びその他の表示すべき情報がなかったため、ＰＩＣＴ−４の表示エリアには空欄が表示されている。
【００４４】
通知情報がなかった場合（Ｓ１０３のＮｏ）は、主制御部２０は、音楽再生等のアプリケーションプログラムが起動されているか否かを判断する（Ｓ１１３）。アプリケーションプログラムが起動されている場合（Ｓ１１３のＹｅｓ）は、主制御部２０は、このアプリケーションプログラムに関する情報を取得する（Ｓ１１５）。すなわち、優先度情報４０の通知情報がなかった場合の優先度情報４２に基づいて、優先度が１番目に高い情報である状態ＩＤが「３」の起動アプリ表示に関する情報を取得する。例えば音楽再生のアプリケーションプログラムが起動されている場合には、図９（Ａ）に示すように、再生中の音楽に関する情報等が取得される。
【００４５】
主制御部２０は、サブディスプレイ１７に状態ＩＤが「３」の情報を表示する（Ｓ１１７）。例えば図９（Ａ）に示すように、ステップＳ１１５にて取得した情報に基づいて、再生中の音楽の情報である「幻想即興曲／ショパン」の情報が表示される。
【００４６】
アプリケーションプログラムが起動されていない場合（Ｓ１１３のＮｏ）は、主制御部２０は、現在時刻を示す時刻情報を取得する（Ｓ１１９）。すなわち、優先度情報４０の通知情報がなかった場合の優先度情報４２に基づいて、優先度が２番目に高い情報である状態ＩＤが「１」の時刻表示に関する情報を取得する。そして主制御部２０は、サブディスプレイ１７に状態ＩＤが「１」の情報を表示する（Ｓ１２１）。例えば図９（Ｂ）に示すように、ステップＳ１１９にて取得した情報に基づいて、現在時刻である「１２：３０」の情報が表示される。
【００４７】
主制御部２０は、表示情報を切り替えが指示されたか否かを判断する（Ｓ１２３）。この際、例えばユーザにより切替キー１８ａのサイドキーが押下されたことに基づいて、表示情報の切り替えが指示されたものと判断する。
【００４８】
表示情報の切り替えが指示された場合（Ｓ１２３のＹｅｓ）は、主制御部２０は、表示されている情報が状態ＩＤ「１」の時刻表示に関する情報であるか否かを判断する（Ｓ１２５）。表示されている情報が状態ＩＤ「１」の時刻表示に関する情報であった場合（Ｓ１２５のＹｅｓ）は、主制御部２０は、携帯電話機１に通知情報があるか否かを判断する（Ｓ１２７）。この判断は、ステップＳ１０３と同様の手順で行われる。
【００４９】
通知情報があった場合（Ｓ１２７のＹｅｓ）は、ステップＳ１０５に戻って、主制御部は記憶部２６から通知情報を取得し、ステップＳ１１１にて、図８（Ｃ）に示す状態から、図８（Ａ）に示すように、サブディスプレイ１７にピクト表示に関する情報を表示する。通知情報がなかった場合（Ｓ１２７のＮｏ）は、ステップＳ１０７に戻って、主制御部は、通知情報がない表示エリアに表示されるユーザ操作に依存する情報があるか否かを判断し、ステップＳ１１１にて、図９（Ｂ）に示す状態から、図９（Ｃ）に示すように、サブディスプレイ１７にピクト表示に関する情報を表示する。この際、ＰＩＣＴ−３乃至ＰＩＣＴ−５の表示エリアにおいて通知情報及びその他の表示すべき情報がなかったため、ＰＩＣＴ−３乃至ＰＩＣＴ−５の表示エリアには空欄が表示されている。
【００５０】
表示されている情報が状態ＩＤ「１」の時刻表示に関する情報ではなかった場合（Ｓ１２５のＮｏ）は、主制御部２０は、表示されている情報が状態ＩＤ「２」のピクト表示に関する情報であるか否かを判断する（Ｓ１２９）。表示されている情報が状態ＩＤ「２」のピクト表示に関する情報であった場合（Ｓ１２９のＹｅｓ）は、ステップＳ１１３に戻って、主制御部２０は、アプリケーションプログラムが起動されているか否かを判断し、起動されている場合には、ステップＳ１１７にて、図８（Ａ）または図９（Ｃ）に示す状態から、図８（Ｂ）または図９（Ａ）に示すように、サブディスプレイ１７に起動アプリ表示に関する情報を表示する。
【００５１】
また、表示されている情報が状態ＩＤ「２」のピクト表示に関する情報ではなかった場合（Ｓ１２９のＮｏ）、すなわち表示されている情報が状態ＩＤ「３」の起動アプリ表示に関する情報であった場合は、ステップＳ１１９に戻って、主制御部２０は時刻情報を取得し、ステップＳ１２１にて、図８（Ｂ）または図９（Ａ）に示す状態から、図８（Ｃ）または図９（Ｂ）に示すように、サブディスプレイ１７に時刻表示に関する情報を表示する。
【００５２】
すなわち、携帯電話機１に通知情報があった場合には、優先度情報４０の通知情報があった場合の優先度情報４１に基づいて、サイドキーが押下されるごとに、状態ＩＤ「２」、「３」、「１」、「２」、・・・の順でそれぞれ切り替えられる。また、携帯電話機１に通知情報がなかった場合には、優先度情報４０の通知情報がなかった場合の優先度情報４２に基づいて、サイドキーが押下されるごとに、状態ＩＤ「３」、「１」、「２」、「３」、・・・の順でそれぞれ切り替えられる。
【００５３】
表示情報に切り替えが指示されなかった場合（Ｓ１２３のＮｏ）は、主制御部２０は、所定時間（例えば１０秒）が経過したか否かを判断する（Ｓ１３１）。この所定時間は、予め設定されて記憶部２６に記憶されている時間であり、ステップＳ１１１、Ｓ１１７、Ｓ１２１にてサブディスプレイ１７の表示が開始されてからの時間経過であっても、ユーザにより開始キー１８や切替キー１８ａ等のサイドキーが最後に押下されてからの時間経過であっても良い。
【００５４】
所定時間が経過していない場合（Ｓ１３１のＮｏ）は、ステップＳ１２３に戻って、主制御部２０は表示情報の切り替えが指示されたか否かを判断する。所定時間が経過した場合（Ｓ１３１のＹｅｓ）は、主制御部２０は、サブディスプレイ１７の表示を終了する（Ｓ１３３）。
【００５５】
このようにして携帯電話機１は、ユーザによりサブディスプレイ１７の表示が指示された際に、優先度情報４０に基づいてサブディスプレイ１７に最初に表示する情報を選択したり、ユーザによりサブディスプレイ１７の表示の切り替えが指示された際に、優先度情報４０に基づいてサブディスプレイ１７の表示内容を切り替えたりする。これにより、ユーザは、携帯電話機１を閉じた状態のままで、現在時刻や通知情報などの様々な情報を、通知情報の有無に応じて、優先度が高い順に確認することが可能となる。
【００５６】
本発明に係る携帯電話機１によると、サブディスプレイ１７を備え、このサブディスプレイ１７に端末状態に応じた優先度の高い情報を表示するとともに、簡単な操作（例えばキー押下）で表示情報を切り替えられるように構成したことにより、サブディスプレイ１７が比較的小型であっても、ユーザに必要とされている情報を推測して、最適な情報を表示することが可能となる。
【００５７】
なお、サブディスプレイ１７の表示画面５０は、静止させて表示させても、テロップ表示にしても良い。このとき、サイドキーの押下に基づいてサブディスプレイ１７の表示情報を切り替えるのではなく、表示情報をテロップ表示にて順次表示するようにしても良い。この際のテロップ表示方法は、優先度情報４０に基づいた順番で表示すると良い。テロップ表示にて表示を切り替える範囲は、サブディスプレイ１７全体としても良いし、電界・電池のピクトアイコンだけは常に表示し、その他のピクトアイコンが表示されるエリアのみをテロップ表示しても良い。
【００５８】
一般的に、ユーザがサブディスプレイ１７を用いて情報を確認するときには、現在時刻や起動アプリ情報を確認したい場合が多い。一方で、携帯電話機１に未読メールや不在着信があった場合には、ユーザは、その旨を示す通知情報をサブディスプレイ１７で確認できることが望ましい。本発明の携帯電話機１では、通知情報があるときには通知情報を優先的に表示し、通知情報がないときには現在時刻や起動アプリ情報を優先的に表示する。これにより、ユーザは、通知情報がある場合にはその旨をいち早く確認できるとともに、通知情報が表示されないときには通知情報がないものと判断でき、よって、ユーザが通知情報の有無を確認する作業を省略することが可能となる。
【００５９】
また、実施形態では、基本表示として電界バーや電池レベルを示すピクトアイコンを表示する例について説明したが、これに限定されず、これらのピクトアイコンを表示せずに他の情報のみを表示するようにしても良い。通知すべき情報が多い場合等を考慮すると、これらのピクトアイコンの表示エリアに他の情報を表示することにより、サブディスプレイ１７の表示エリア全体を使って必要な情報を表示することができるからである。
【００６０】
さらに、時間経過によりサブディスプレイ１７の表示を切り替えるようにしても良い。実施形態では、切り替え時に、表示開始時の優先度によって最初に表示される状態が決定し、その後は、サイドキーを押下することによって表示を切り替えることとしていた。しかしながら、サイドキーを押下しなくても、所定時間の経過に基づいて自動的に表示を切り替えるようにしても良い。
【００６１】
そして、表示情報が多い場合、サブディスプレイ１７の表示画面５０に「情報を御確認下さい」のような表示を行い、ユーザにメインのディスプレイ１３を確認するように促すようにしても良い。実施形態では、サブディスプレイ１７の表示画面５０に多くの情報を表示するための方法を説明したが、ユーザが通知情報を確認する場合には、メインのディスプレイ１３にて通知情報を確認する事になる。よって、未読メールや不在着信等の情報が存在する場合には、「未確認情報があります。確認してください。」のようなメッセージをサブディスプレイ１７に表示するようにしても良い。この方法は、サブディスプレイ１７の表示開始後、一定時間は現在時刻を表示し、その後、メインのディスプレイ１３を確認するようメッセージを表示したり、サブディスプレイ１７の表示画面５０をテロップ表示したりする方法を組み合わせて使用しても良い。
【００６２】
これらにより、サブディスプレイ１７に同時に表示できる情報が少ない場合でも、ユーザが、より確認したいと考えられる情報を第一の優先度として表示し、その他の情報についても、簡単な操作（キー押下）により、画面の表示を切り替えることによって多くの情報を表示することが可能となる。
【００６３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、サブディスプレイを備えた電子機器であれば、任意の電子機器であって良い。
【図面の簡単な説明】
【００６４】
【図１】（Ａ）は、本発明に係る電子機器の開いた状態を示す正面図、（Ｂ）は、本発明に係る電子機器の開いた状態を示す側面図。
【図２】（Ａ）は、本発明に係る電子機器の閉じた状態を示す正面図、（Ｂ）は、本発明に係る電子機器の閉じた状態を示す側面図。
【図３】本発明に係る電子機器の機能ブロック図。
【図４】ピクトアイコンの種類を示すピクトアイコン表。
【図５】端末状態とサブディスプレイの表示情報とを対応付けるための状態−表示対応表。
【図６】優先度情報を示すデータ構成図。
【図７】本発明に係る電子機器（携帯電話機１）がサブディスプレイの表示制御処理を行う際の手順を示すフローチャート。
【図８】（Ａ）乃至（Ｃ）は、サブディスプレイの表示画面の一例を示す画面図。
【図９】（Ａ）乃至（Ｃ）は、サブディスプレイの表示画面の一例を示す画面図。
【符号の説明】
【００６５】
１…携帯電話機，１０…上筐体，１１…下筐体，１２…ヒンジ部，１３…ディスプレイ，１４…スピーカ，１５…操作キー，１６…マイクロフォン，１７…サブディスプレイ，１８…開始キー，１８ａ…切替キー，２０…主制御部，２１…電源回路部，２２…操作入力制御部，２３…表示制御部，２４…音声制御部，２５…通信制御部，２５ａ…アンテナ，２６…記憶部，３０…ピクトアイコン表，３５…状態−表示対応表，４０…優先度情報，５０…サブディスプレイの表示画面。
【図１】
0005028649.tif 000002
【図２】
0005028649.tif 000003
【図３】
0005028649.tif 000004
【図４】
0005028649.tif 000005
【図５】
0005028649.tif 000006
【図６】
0005028649.tif 000007
【図７】
0005028649.tif 000008
【図８】
0005028649.tif 000009
【図９】
0005028649.tif 000010